(57)【要約】【課題】  収納部内におけるチップの収納状態を良好に維持することができるようにすること。【解決手段】  収納部１０は、チップＣの基板Ｋを略水平方向に向け、且つ、チップＣの端子Ｂを下向きとしてチップＣを収納可能に設けられている。収納部１０は、基板Ｋの外周側を囲う位置に設けられた起立部１３と、この起立部１３の下部に連設された載置面部１４とを備えている。起立部１３の上方には、チップＣの出し入れ口１９が形成されている一方、垂下部１６の上方には、前記端子Ｂの受入口２０が形成されている。載置面部１４の各コーナー部１４Ｃにおける受入口２０側には、受け面２２がそれぞれ連設されている。各受け面２２は、前記コーナー部１４Ｃから基板Ｋの面内中央部方向に張り出すように設けられている。【選択図】      図２
2006278518.tif 000002
【特許請求の範囲】
【請求項１】
略方形状をなす基板と、この基板の少なくとも一方の面から突出する複数の端子とを含むチップを収納部に収納する収納構造において、
前記収納部は、基板を略水平方向に向け、且つ、端子を下向きとしてチップを収納したときに、基板の外周側を囲う位置に設けられるとともに、チップの出し入れ口を上方に形成する起立部と、この起立部の下部に連設されて基板の外周部に沿う下面が載置されるとともに、内方に前記端子の受入口を形成する載置面部とを備え、
載置面部の各コーナー部には、前記基板下面が載置される受け面がそれぞれ連設され、各受け面は、前記コーナー部から基板の面内中央部方向に張り出す形状を備えていることを特徴するチップの収納構造。
【請求項２】
前記基板の各コーナー近傍の下面側には、位置決め凸部がそれぞれ設けられている一方、各位置決め凸部に対応する領域の受け面及び載置面部に、位置決め凸部を受容する受容部がそれぞれ形成されていることを特徴する請求項１記載のチップの収納構造。
【請求項３】
前記基板の各コーナーのうち、三箇所のコーナー近傍の下面側に位置決め凸部をそれぞれ設ける一方、各位置決め凸部に対応する領域の受け面及び載置面部に、位置決め凸部を受容する受容部がそれぞれ形成されていることを特徴する請求項１記載のチップの収納構造。
【請求項４】
前記端子及び位置決め凸部は、半田を用いてそれぞれ構成されていることを特徴する請求項１，２又は３記載のチップの収納構造。
【発明の詳細な説明】
【技術分野】
【０００１】
本発明は、チップの収納構造に係り、更に詳しくは、チップの収納状態を安定して保つことができるチップの収納構造に関する。
【背景技術】
【０００２】
従来より、ＢＧＡ型（ボールグリッドアレイ）やＣＳＰ型（チップサイズパッケージ）等、基板の一方の面に複数の突起状の端子を有する面実装型のチップが普及するに至っている。このようなチップを搬送若しくは保管する場合、チップを収納する収容部が複数設けられたトレイが利用され、その収納部の構造としては、図８及び図９に示されるタイプのものが知られている。同図の収納部５０は、前記トレイを構成する板状の本体部５１の上面を略凹状に窪ませることにより、チップＣを略水平として収容可能に設けられている。具体的には、収納部５０は、チップＣの収納状態において、当該チップＣの基板Ｋの外周部に沿う下面が載置される載置面部５２と、この載置面部５２の内方に形成されてチップＣの端子Ｂを受容するとともに、基板Ｋと略相似形状の平面視方形状をなす受入口５３とを備えている。
【発明の開示】
【発明が解決しようとする課題】
【０００３】
しかしながら、このような構造にあっては、図１０及び図１１に示されるように、基板Ｋのコーナー部Ｋ１が載置面部５２の外側コーナー部５２Ａ側に近付くように位置ずれすると、前記コーナー部Ｋ１と反対側に位置するコーナー部Ｋ２領域が受入口５３内に落下するという不都合を生じる。これにより、基板Ｋや端子Ｂが受入口５３の形成縁等に当接して集中的な負荷が加わり、基板Ｋ等が損傷する傾向が強くなる。しかも、基板Ｋが傾斜姿勢で収納されるため、水平な基板Ｋを保持するために用いられる吸着装置やピックアップ装置がチップＣを保持できなくなる場合がある。この結果、チップＣの収納位置を修正若しくは調整する作業が必要となり、収納部５０に対するチップＣの出し入れ工程が長時間になるという不都合を招来する。
【０００４】
［発明の目的］
本発明は、このような不都合に着目して案出されたものであり、その目的は、チップの収納状態を良好に維持することができるチップの収納構造を提供することにある。
【課題を解決するための手段】
【０００５】
前記目的を達成するため、本発明は、略方形状をなす基板と、この基板の少なくとも一方の面から突出する複数の端子とを含むチップを収納部に収納する収納構造において、
前記収納部は、基板を略水平方向に向け、且つ、端子を下向きとしてチップを収納したときに、基板の外周側を囲う位置に設けられるとともに、チップの出し入れ口を上方に形成する起立部と、この起立部の下部に連設されて基板の外周部に沿う下面が載置されるとともに、内方に前記端子の受入口を形成する載置面部とを備え、
載置面部の各コーナー部には、前記基板下面が載置される受け面がそれぞれ連設され、各受け面は、前記コーナー部から基板の面内中央部方向に張り出す形状を備える、という構成が採用されている。
【０００６】
本発明において、前記基板の各コーナー近傍の下面側には、位置決め凸部がそれぞれ設けられている一方、各位置決め凸部に対応する領域の受け面及び載置面部に、位置決め凸部を受容する受容部がそれぞれ形成される、という構成を採ることが好ましい。
【０００７】
また、前記基板の各コーナーのうち、三箇所のコーナー近傍の下面側に位置決め凸部をそれぞれ設ける一方、各位置決め凸部に対応する領域の受け面及び載置面部に、位置決め凸部を受容する受容部がそれぞれ形成される、という構成も採用される。
【０００８】
更に、前記端子及び位置決め凸部は、半田を用いてそれぞれ構成されるとよい。
【発明の効果】
【０００９】
本発明によれば、載置面部のコーナー領域に受け面を設けたので、基板のコーナー側を支持する面積を拡大することができる。特に、基板のコーナーが載置面部のコーナー部側に偏って位置しても、基板における前記コーナーの反対側コーナー領域を受け面上に位置させることができる。従って、収納部にチップを収納したときに、受入口内に基板の一部や端子が入り込んで当該基板が傾斜した状態で収納されることを防止でき、従来のように、受入口等によって基板や端子に集中的な負荷が付与されることを回避することが可能となる。しかも、基板を水平姿勢に安定的に保った状態でチップが収納されるので、収納部からチップを出し入れするときに、吸着装置等によるチップの保持不良を回避して作業工程の迅速化を図ることができる。
【００１０】
また、基板に位置決め凸部を設け、この位置決め凸部を受容する受容部を設けたから、チップが載置面上で移動することを規制でき、これによっても、チップの安定的な収納状態を確保することが可能となる。しかも、受け面に受容部を形成可能としたので、チップの設計時に、位置決め凸部の配置領域選択の自由度を高めることができる。
【００１１】
更に、基板の各コーナーのうち、三箇所のコーナー近傍の下面側に位置決め凸部を設けた場合には、各位置決め凸部の位置により、基板の周方向の向きを容易に把握することができ、チップの検査工程等を迅速且つスムースに行うことが可能となる。
【００１２】
また、端子及び位置決め凸部を半田によりそれぞれ構成した場合、端子を形成する工程と、位置決め凸部と形成する工程とを連続して行うことができ、製造工程の簡略化を通じてコスト的な負担を抑制することが可能となる。
【００１３】
なお、本明細書及び特許請求の範囲において、特に明示しない限り、「上」及び「下」は、図２を基準として用いる。
【発明を実施するための最良の形態】
【００１４】
以下、本発明の好ましい実施の形態について図面を参照しながら説明する。
【００１５】
図１には、実施形態に係る収納部の平面図が示され、図２には、図１のＡ−Ａ線に沿う断面図が示されている。これらの図において、収納部１０は、特に限定されるものでないが、適宜な樹脂等からなるトレイに平面視で所定間隔毎に複数形成され、ここでは、複数の収納部１０の内の一つの収納部１０を図示している。収納部１０は、前記トレイを形成する板状のトレイ本体１１の上面を凹ませるように設けられ、内部にチップＣを収納可能な収容空間Ａを備えている。
【００１６】
ここで、前記チップＣは、ＢＧＡ型若しくはＣＳＰ型等の面実装型とされる。具体的には、図３（Ａ）及び（Ｂ）に示されるように、平面形状が略正方形状をなす基板Ｋと、この基板Ｋの図３（Ａ）中下面から突出する複数の端子Ｂと、基板Ｋの各コーナーＫＣ近傍の下面側から突出する４つの位置決め凸部Ｔとを備えている。基板Ｋには、図示しない回路が形成されている。各端子Ｂは、半田を用いて略半球面状に形成されるとともに、前記回路に接続される突起電極により構成されている。端子Ｂは、図３（Ｂ）中縦方向及び横方向に所定間隔毎に形成されている。なお、同図中、最上位及び最下位で左右に並ぶ端子Ｂは、それらの間で左右に並ぶ端子Ｂに対し、左右両側の端子Ｂをそれぞれ省略したような形成数に設定され、後述する受け面に端子Ｂが干渉しないようになっている。また、位置決め凸部Ｔは、端子Ｂと同様に、半田を用いて略半球面状に形成されており、特に限定されるものでないが、電極としての機能を有しないようにしてもよい。位置決め凸部Ｔは、図３（Ｂ）中の上又は下方向及び左又は右方向に隣接する端子Ｂに比べ、基板Ｋの端面Ｋ１寄りとなる位置に形成されている。
【００１７】
前記収納部１０は、図２、図４及び図５に示されるように、基板Ｋを略水平方向に向け、且つ、各端子Ｂを下向きとしてチップＣを内部に収納可能に設けられている。収納部１０は、チップＣの収納状態で基板Ｋの外周側を囲う位置に設けられた起立部１３と、この起立部１３の下部に連設されて略水平となる載置面部１４と、この載置面部１４の内方端側に連なって垂下する垂下部１６と、この垂下部１６の下端側に連なる底面部１７とを備えている。起立部１３は、上下方向に沿って位置し、その上方にチップＣの出し入れ口１９を形成する一方、垂下部１６の上方には、前記端子Ｂの受入口２０が形成される。収納部１０を平面視したときに、出し入れ口１９及び受入口２０の外形は、略正方形状すなわち基板Ｋと略相似形となっている。従って、出し入れ口１９及び受入口２０の間に位置する載置面部１４は、平面視で正方形に沿うループ状に形成され、基板Ｋの外周部に沿う下面領域が載置されるようになっている。
【００１８】
ここで、載置面部１４の各コーナー部１４Ｃにおける受入口２０側には、受け面２２がそれぞれ連設されている。各受け面２２は、載置面部１４と略同一面上に位置するように形成されている。また、各受け面２２は、前記コーナー部１４Ｃから受入口２０の中央部方向すなわち基板Ｋの面内中央部方向に張り出すように設けられている。前記各コーナー部１４Ｃにおいて、載置面部１４と受け面２２とに跨る領域には、チップＣの位置決め凸部Ｔを受容する受容部２３がそれぞれ形成されている。受容部２３は、位置決め凸部Ｔに対応する領域の載置面部１４及び受け面２２の上面を凹ませることにより形成されている。
【００１９】
以上の構成において、収納部１０内にチップＣを収納すると、図４に示されるように、基板Ｋの下面外周領域が載置面部１４及び受け面２２上に載置される。この状態で、受入口２０内に各端子Ｂが挿入されるとともに、位置決め凸部Ｔが各受容部２３内に受容されてチップＣが略水平方向に移動することが規制される。
【００２０】
ここで、図６に示されるように、基板ＫのコーナーＫＣが載置面部１４の外側コーナーに近付くように位置ずれした場合、前記コーナーＫＣの反対側のコーナーＫＣは受け面２０の上部に位置する。これにより、基板Ｋが受入口２０内に入り込むことが回避されるとともに、基板Ｋの水平姿勢が維持されることとなる。
【００２１】
従って、このような実施形態によれば、載置面部１４のコーナー１４Ｃに受け面２２を設けたので、基板Ｋが載置する面積を広く確保できるばかりでなく、収納部１０内でチップＣに位置ずれが生じた場合であっても、基板Ｋが受入口２０の形成縁等に干渉することを防止することが可能となる。また、載置面部１４と受け面２２とに跨る位置に受容部２３を設けたので、起立部１３及び載置面部１４間の入隅と受容部２３との距離を大きく確保でき、当該受容部２３の成形等を容易に行うことが可能となる。
【００２２】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、前記実施形態において、チップＣにおける端子Ｂの形成数は、説明の便宜上、例示したものであり、前述した規定に応じて適宜変更してもよい。また、基板Ｋの平面形状は、略長方形状にしてもよく、これに応じて出し入れ口１９等が相似形となるように収納部１０の形状を変更すればよい。
【００２４】
更に、図７に示されるように、位置決め凸部Ｔは、基板Ｋの各コーナーＫＣのうち、三箇所のコーナーＫＣ近傍の下面側にそれぞれ設けるようにしてもよい。これによれば、収納部１０内での基板Ｋの位置ずれを抑制しつつ、各位置決め凸部Ｔの位置により基板Ｋの周方向の向き、すなわち、オリエンテーションを簡単に確認することができ、テスト工程の短縮化を図ることが可能となる。
また、位置決め凸部Ｔは、端子Ｂと略同じ大きさで略同じピッチとなるように配置したり、その形状を変更してもよい。更に、位置決め凸部Ｔを電源やグランド配線等の補助用端子として機能するようにしてもよい。
【図面の簡単な説明】
【００２５】
【図１】実施形態に係る収納部の概略平面図。
【図２】図１のＡ−Ａ線に沿う断面図。
【図３】（Ａ）は、チップの正面図、（Ｂ）は、その底面図。
【図４】チップが収納された状態を示す図１と同様の平面図。
【図５】図４のＢ−Ｂ線に沿う断面図。
【図６】チップが位置ずれして収納された状態を示す図１と同様の平面図。
【図７】変形例に係る図３（Ｂ）と同様の底面図。
【図８】従来例に係る収納部の図４と同様の平面図。
【図９】従来例に係る収納部の図２と同様の断面図。
【図１０】従来例に係る収納部の図６と同様の平面図。
【図１１】図１０のＣ−Ｃ線に沿う断面図。
【符号の説明】
【００２６】
１０・・・収納部、１３・・・起立部、１４・・・載置面部、１４Ｃ・・・コーナー部、１９・・・出し入れ口、２０・・・受入口、Ｃ・・・チップ、Ｂ・・・端子、Ｋ・・・基板、Ｔ・・・位置決め凸部
【図１】
2006278518.tif 000003
【図２】
2006278518.tif 000004
【図３】
2006278518.tif 000005
【図４】
2006278518.tif 000006
【図５】
2006278518.tif 000007
【図６】
2006278518.tif 000008
【図７】
2006278518.tif 000009
【図８】
2006278518.tif 000010
【図９】
2006278518.tif 000011
【図１０】
2006278518.tif 000012
【図１１】
2006278518.tif 000013